(57)【要約】【課題】断熱性等の各種性能を高めつつ、火災時には屋根の燃焼を抑制できる野地板用パネルを提供する。【解決手段】第１及び第２の板材１１，１２と、これらの板材の間に配される中間材１３と、を備え、第１及び第２の板材１１，１２の間に、空気が流入する通気路１５を設けると共に、通気路１５内に、所定温度以上に加熱された際に膨張して通気路１５を塞ぐ封止部材３０を設ける。【選択図】図３
2014159693.tif 000002
【特許請求の範囲】
【請求項１】
垂木上に固定されて木造建築物の屋根を構成する野地板用パネルであって、
複数枚の板材と、これらの板材の間に配される中間材と、を備え、
前記板材の間には、空気が流入する通気路が設けられていると共に、該通気路内には、所定温度以上に加熱された際に膨張して通気路を塞ぐ封止部材が設けられていることを特徴とする野地板用パネル。
【請求項２】
請求項１に記載の野地板用パネルにおいて、
前記封止部材が、所定温度以上に加熱されると発泡する加熱発泡剤で形成されていることを特徴とする野地板用パネル。
【請求項３】
請求項１又は２に記載の野地板用パネルにおいて、
前記封止部材が、前記通気路の各開口部付近にそれぞれ設けられていることを特徴とする野地板用パネル。
【請求項４】
請求項１〜３の何れか一項に記載の野地板用パネルにおいて、
前記板材が、３枚の桐板を貼り合わせた桐合板で形成されていることを特徴とする野地板用パネル。
【請求項５】
請求項４に記載の野地板用パネルにおいて、
前記中間材が、堅木で形成されていることを特徴とする野地板用パネル。
【発明の詳細な説明】
【技術分野】
【０００１】
本発明は、例えば、木造住宅等の木造建築物の屋根を構成する野地板として用いられる野地板用パネルに関する。
【背景技術】
【０００２】
従来、木造建築物の屋根、例えば、木造住宅の屋根は、垂木上に野地板を固定し、この野地板上に、防水シート等を介して瓦やスレートを葺くことで形成されていた。また野地板としては、一般的に構造用合板が用いられているが、近年、合板と断熱材等と組み合わせたパネル状の野地板が様々提案されている。例えば、野地板本体の下面に断熱材を取り付け、野地板本体と断熱材との間に通気路を形成するようにしたものがある（特許文献１参照）。
【先行技術文献】
【特許文献】
【０００３】
【特許文献１】特開平４−２９３８３４号公報
【発明の概要】
【発明が解決しようとする課題】
【０００４】
特許文献１に記載のように、内部に空気が流れる通気路を設けた構成とすることで、野地板の断熱性能等の各種特性を高めることができる。しかしながら、火災が発生した場合には、この通気路に空気が流入することで、屋根の燃焼が早まる虞がある。
【０００５】
本発明は、このような事情に鑑みてなされたものであり、断熱性等の各種性能を高めつつ、火災時には屋根の燃焼を抑制できる野地板用パネルを提供することを目的とする。
【課題を解決するための手段】
【０００６】
上記課題を解決する本発明の第１の態様は、垂木上に固定されて木造建築物の屋根を構成する野地板用パネルであって、複数枚の板材と、これらの板材の間に配される中間材と、を備え、前記板材の間には、空気が流入する通気路が設けられていると共に、該通気路内には、所定温度以上に加熱された際に膨張して通気路を塞ぐ封止部材が設けられていることを特徴とする野地板用パネルにある。
【０００７】
本発明の第２の態様は、第１の態様の野地板用パネルにおいて、前記封止部材が、所定温度以上に加熱されると発泡する加熱発泡剤で形成されていることを特徴とする野地板用パネルにある。
【０００８】
本発明の第３の態様は、第１又は２の態様の野地板用パネルにおいて、前記封止部材が、前記通気路の各開口部付近にそれぞれ設けられていることを特徴とする野地板用パネルにある。
【０００９】
本発明の第４の態様は、第１〜３の何れか一つの態様の野地板用パネルにおいて、前記板材が、３枚の桐板を貼り合わせた桐合板で形成されていることを特徴とする野地板用パネルにある。
【００１０】
本発明の第５の態様は、第４の態様の野地板用パネルにおいて、前記中間材が、堅木で形成されていることを特徴とする野地板用パネルにある。
【発明の効果】
【００１１】
かかる本発明では、通常時は、野地板内の通気路を空気が流れることで、断熱性等が高められる。また火災時には、封止部材が所定温度以上に加熱されることで、封止部材が膨張して通気路が塞がれて空気の流れが遮断される。これにより、火災時における屋根の燃焼を抑制することができる。
【図面の簡単な説明】
【００１２】
【図１】本発明の一実施形態に係る野地板用パネルを用いた木造建築物の屋根構造を示す概略図である。
【図２】本発明の一実施形態に係る野地板用パネルの断面図である。
【図３】本発明の一実施形態に係る野地板用パネルの断面図であり、図２のＡ−Ａ′線断面図である。
【図４】本発明の一実施形態に係る野地板用パネルの断面図である。
【図５】本発明の一実施形態に係る野地板用パネルの変形例を示す断面図である。
【発明を実施するための形態】
【００１３】
以下、本発明の一実施形態について図面を参照して詳細に説明する。
【００１４】
図１に示すように、木造建築物（例えば、木造住宅）１００の屋根は、横架材である棟木１０１、軒桁１０２及び母屋１０３上に、垂木１０４が所定間隔で複数本固定されて構成されている。野地板用パネル１０は、この垂木１０４上に固定されている。図示は省略するが、野地板用パネル１０上には、防水シート等を介して瓦やスレート等が固定される。
【００１５】
野地板用パネル１０は、図２及び図３に示すように、第１及び第２の板材１１，１２と、これら第１及び第２の板材１１，１２の間に設けられた中間材１３とを備え、第１の板材１１が垂木１０４に固定されている。第１及び第２の板材１１，１２は、それぞれ、複数枚の桐板を積層することによって形成されている。本実施形態では、第１及び第２の板材１１，１２は、桐板２１〜２３を三層に貼り合わせた桐合板２０で形成されている。この桐合板２０は、内側の桐板２２の木目方向が横目方向（垂木１０４に沿った方向）であり、外側の桐板２１，２３の木目方向が縦目方向（垂木１０４とは直交する方向）である３層クロス張り構造であることが好ましい。これにより第１及び第２の板材１１，１２の剛性を高めることができると共に、第１及び第２の板材１１，１２の反りを抑制することができる。
【００１６】
なお桐合板２０の構成は特に限定されるものではない。例えば、本実施形態では、桐合板２０は、三層の桐板で形成されているが、二層以下の桐板で形成されていてもよいし、四層以上の桐板で形成されていてもよい。
【００１７】
中間材１３は、例えば、樫・櫟・欅・楢等の堅木からなる棒状の部材であり、第１及び第２の板材１１，１２の間に、所定間隔で配されている。中間材１３を堅木で形成することで、野地板用パネル１０としての剛性を高めることができる。これら各中間材１３の間には空間部１４が画成されている。すなわち第１及び第２の板材１１，１２と各中間材１３とによって、野地板用パネル１０の内部には複数の空間部１４が画成されている。
【００１８】
そして、野地板用パネル１０の内部には、この空間部１４を利用した通気路１５が形成されている。具体的には、空間部１４は、例えば、棟木１０１を挟んだ一方の軒１０６Ａから他方の軒１０６Ｂまで連続して設けられている。第１の板材１１の軒裏部分には、空間部１４と外部とを繋ぐ第１及び第２の開口部１６，１７が設けられ、第１又は第２の開口部１６，１７の一方から空間部１４内に流入した空気が、他方から外部に排出されるようになっている。つまり野地板用パネル１０には、空間部１４と第１及び第２の開口部１６，１７とで構成されて内部に空気が流入する通気路１５が設けられている。この通気路１５は、全ての空間部１４に対応して設けられていてもよいが、一部の空間部１４に対応して設けられていてもよい。
【００１９】
このように野地板用パネル１０は、桐合板からなる第１及び第２の板材１１，１２によって形成されているため、住宅等の屋根に野地板用パネル１０を採用することで、断熱材を用いることなく断熱性の高い屋根を実現することができる。また野地板用パネル１０が通気路１５を備えているため、この通気路１５に空気が流れることで、夏場における野地板用パネル１０の過度の温度上昇を抑制でき、さらには空間部１４内の湿度上昇も抑制することができる。したがって、住宅の屋根に野地板用パネル１０を採用することで、快適な居住空間を実現することができる。
【００２０】
ここで、各通気路１５を構成する空間部１４には、所定温度以上に加熱された際に膨張して通気路１５を塞ぐ封止部材３０が設けられている。具体的には、封止部材３０は、所定温度、例えば、２００℃以上に加熱されると発泡して膨張するシート状の加熱発泡材（加熱膨張材）で形成されている。加熱発泡材は、特に限定されないが、例えば、グラファイトを含有し、所定温度（２００℃）以上の熱に反応して体積膨張（熱膨張）し、耐熱性を有する部材となるものであればよい。図４（ａ）に示すように、封止部材３０は、通常時はシート状であるため、空間部１４内の空気の流れを阻害することはないが、火災が起こると、図４（ｂ）に示すように、封止部材３０が膨張して空間部１４を塞ぎ、通気路１５内の空気の流れを遮断する。
【００２１】
火災時に通気路１５内を空気が流れていると屋根の燃焼を早めてしまう虞があるが、封止部材３０によって通気路１５の空気の流れが遮断されることで、屋根の燃焼を抑制することができる。
【００２２】
なお封止部材３０は、通気路１５内の何れの位置に設けられていてもよいが、第１及び第２の開口部１６，１７付近に配置されていることが好ましい。これにより、野地板用パネル１０内の空気の流れをより確実に遮断することができる。
【００２３】
以上説明したように、本発明に係る野地板用パネル１０によれば、通常時は、野地板用パネルの温度や湿度の上昇、ひいては居住空間の温度や湿度の上昇を抑制することができ、且つ火災時には、屋根の燃焼を抑制することができる。
【００２４】
以上本発明の一実施形態について説明したが、勿論、本発明は、上述の実施形態に限定されるものではなく、発明の趣旨を逸脱しない範囲で、適宜変更が可能なものである。
【００２５】
例えば、上述の実施形態では、第１の板材１１の軒裏部分に第１及び第２の開口部１６，１７を設けるようにしたが、例えば、図５に示すように、第１及び第２の開口部１６，１７を軒先部分に設けるようにしてもよい。また空間部１４内の空気を排出するための開口部は、例えば、棟木１０１付近に設けるようにしてもよい。また第１及び第２の開口部１６，１７は、常時開放されているが、例えば、スライディングシャッタ等を設け、必要に応じて開閉可能に構成してもよい。例えば、冬場等に第１及び第２の開口部１６，１７を閉じることで、野地板用パネル１０の断熱性をさらに高めることができる。
【００２６】
また本発明の野地板用パネル１０には、予め、第１及び第２の板材１１，１２と中間材１３とが固定されたものだけでなく、垂木１０４上に第１の板材１１と中間材１３と第２の板材１２とを順次積層することによって形成されたものも含まれる。
【符号の説明】
【００２７】
１０  野地板用パネル
１１  第１の板材
１２  第２の板材
１３  中間材
１４  空間部
１５  通気路
１６  第１の開口部
１７  第２の開口部
２０  桐合板
２１〜２３  桐板
３０  封止部材
１０１  棟木
１０２  軒桁
１０３  母屋
１０４  垂木
１０６Ａ，１０６Ｂ  軒
【図１】
2014159693.tif 000003
【図２】
2014159693.tif 000004
【図３】
2014159693.tif 000005
【図４】
2014159693.tif 000006
【図５】
2014159693.tif 000007